(57)【要約】【課題】プライバシー保護の信頼性を落とすことなく、プライバシー保護処理を行うハードウェアあるいはソフトウェアに関わるコストを最小限に抑えることができる監視カメラシステム及び監視カメラ制御方法を提供する。【解決手段】撮像部１１の撮像画角１１Ａにおいて画像を取得し、取得した画像を画像認識部１３で画像認識してプライバシー保護対象人物の検出を行い、撮像画角１１Ａ内で該当する人物を検出した場合、当該人物が撮像画角１１Ａ外になるように撮像部１１のパン、チルトを制御して撮像部１１の向きを変える。これにより、プライバシー保護対象人物をモザイク画などの別の画像に置き換える処理が不要となり、人物プライバシー保護処理に関わるコストを最小限に抑えることが可能となる。また、あくまでもプライバシー保護対象人物を記録しないように撮像部１１の向きを変えるだけであるので、異常事態を検出する精度を低下させることはない。【選択図】図１
2008167206.tif 000002
【特許請求の範囲】
【請求項１】
被写体空間を撮像する撮像手段と、
特定の人物に関する情報を記憶する登録人物情報記憶手段と、
前記撮像手段で撮像された画像において前記登録人物情報記憶手段に記憶された情報から人物を特定する画像認識手段と、
前記撮像手段で撮像された画像を記録する記録手段と、
前記撮像手段の向きを上下左右に変える制御を行う制御手段とを備え、
前記撮像手段は、前記記録手段に画像を記録させるための記録画角と前記記録画角を含む撮像画角を持ち、
前記制御手段は、前記撮像画角にて前記登録人物情報記憶手段に記憶された情報から人物が特定されると、前記人物が前記撮像画角から外れるように前記撮像手段の向きを変える制御を行う監視カメラシステム。
【請求項２】
被写体空間を撮像する撮像手段と、特定の人物に関する情報を記憶する登録人物情報記憶手段と、前記撮像手段で撮像された画像において前記登録人物情報記憶手段に記憶された情報から人物を特定する画像認識手段と、前記撮像手段の向きを上下左右に変える制御を行う制御手段とを備える監視カメラと、
前記監視カメラの前記撮像手段で撮像された画像を記録する記録手段とを備え、
前記監視カメラにおいて、前記撮像手段は、前記記録手段に画像を記録させるための記録画角と前記記録画角を含む撮像画角を持ち、前記制御手段は、前記撮像画角にて前記登録人物情報記憶手段に記憶された情報から人物が特定されると、前記人物が前記撮像画角から外れるように前記監視カメラの前記撮像手段の向きを変える制御を行う監視カメラシステム。
【請求項３】
被写体空間を撮像する撮像手段を備える監視カメラと、
特定の人物に関する情報を記憶する登録人物情報記憶手段と、
前記監視カメラで撮像された画像において前記登録人物情報記憶手段に記憶された人物を特定する画像認識手段と、
前記監視カメラの前記撮像手段で撮像された画像を記録する記録手段と、
前記監視カメラの前記撮像手段の向きを上下左右に変える制御を行う制御手段とを備え、
前記監視カメラの前記撮像手段は、前記記録手段に画像を記録させるための記録画角と前記記録画角を含む撮像画角を持ち、
前記制御手段は、前記撮像画角にて前記登録人物情報記憶手段に記憶された情報から人物が特定されると、前記人物が前記撮像画角から外れるように前記監視カメラの前記撮像手段の向きを変える制御を行う監視カメラシステム。
【請求項４】
前記撮像手段は、前記撮像画角内の前記記録画角の位置を変える電子パン・チルト機能を有し、前記撮像画角にて前記登録人物情報記憶手段に記憶された情報から人物が特定されると、前記人物が前記記録画角に入らないように前記パン・チルト機能により前記記録画角の位置を変える請求項１乃至請求項３のいずれかに記載の監視カメラシステム。
【請求項５】
前記画像認識手段は、前記撮像画角にて前記登録人物情報記憶手段に記憶された情報から人物を特定すると、前記人物に関する情報を文字情報として前記登録人物情報記憶手段に記憶する請求項１乃至請求項４のいずれかに記載の監視カメラシステム。
【請求項６】
前記撮像手段は、ズーム機能を有し、前記画像認識手段が前記登録人物情報記憶手段に記憶された情報から人物の特定が困難な場合に前記ズーム機能によりズームインし、前記画像認識手段が前記登録人物情報記憶手段に記憶された情報から人物を特定すると前記ズーム機能によりズームアウトする請求項１乃至請求項５のいずれかに記載の監視カメラシステム。
【請求項７】
被写体空間を撮像する撮像手段と、
特定の人物に関する情報を記憶する登録人物情報記憶手段と、
前記撮像手段で撮像された画像において前記登録人物情報記憶手段に記憶された情報から人物を特定する画像認識手段と、
前記撮像手段で撮像された画像を記録する記録手段と、
前記撮像手段の向きを上下左右に変える制御を行う制御手段とを備え、
前記撮像手段は、前記記録手段に画像を記録させるための記録画角と前記記録画角を含む撮像画角を持ち、
前記制御手段は、前記撮像画角にて前記登録人物情報記憶手段に記憶された情報から人物が特定されると、前記人物が前記撮像画角から外れるように前記撮像手段の向きを変える制御を行う監視カメラ。
【請求項８】
画像記録装置に画像を記録させるための記録画角と前記記録画角を含む撮像画角を持つ監視カメラを用いて被写体空間を撮像する工程と、
特定の人物に関する情報を登録する工程と、
前記監視カメラで撮像された画像において予め登録された情報から人物を特定する工程と、
前記監視カメラで撮像された画像を記録する工程と、
前記監視カメラの前記撮像画角にて予め登録された情報から人物が特定された場合に前記人物が前記撮像画角から外れるように前記監視カメラの向きを変える工程と、
を備える監視カメラ制御方法。
【発明の詳細な説明】
【技術分野】
【０００１】
本発明は、画像認識機能を備えた監視カメラシステム及び監視カメラ制御方法に関する。
【背景技術】
【０００２】
従来、画像認識機能を備えた監視カメラシステムにおいては、プライバシー保護を行うため、モザイク処理を用いて画像認識した人物部分の映像を部分的あるいは内容的にマスクする提案がなされている（例えば、特許文献１参照）。プライバシー保護対象箇所にモザイク処理を施すことで、映像の内容が人物であることが判っても具体的に身体的特徴や着衣の状態までは容易に判読することは困難である。特許文献１は、モザイク処理や時間的差分処理を行う抽象化手段を備え、画像認識手段で認識した人物部分の映像について、その映像を位置的（部分的）に、あるいは内容的にマスクして、映像の内容が人物を撮像したことが判っても、具体的に身体的特徴・着衣の状態までは簡単には判読できないように処理を行っている。
【０００３】
【特許文献１】特開２００２−１４２２１４号公報
【発明の開示】
【発明が解決しようとする課題】
【０００４】
しかしながら、従来の監視カメラシステムにおいては、人物を検出した場合に該人物をモザイク画などの別の画像に置き換える処理を行うハードウェアあるいはソフトウェアを必要とするので、その分コストが嵩むという問題がある。
【０００５】
本発明は、係る事情に鑑みてなされたものであり、プライバシー保護の信頼性を落とすことなく、プライバシー保護処理を行うハードウェアあるいはソフトウェアに関わるコストを最小限に抑えることができる監視カメラシステム及び監視カメラ制御方法を提供することを目的とする。
【課題を解決するための手段】
【０００６】
本発明の監視カメラシステムは、被写体空間を撮像する撮像手段と、特定の人物に関する情報を記憶する登録人物情報記憶手段と、前記撮像手段で撮像された画像において前記登録人物情報記憶手段に記憶された情報から人物を特定する画像認識手段と、前記撮像手段で撮像された画像を記録する記録手段と、前記撮像手段の向きを上下左右に変える制御を行う制御手段とを備え、前記撮像手段は、前記記録手段に画像を記録させるための記録画角と前記記録画角を含む撮像画角を持ち、前記制御手段は、前記撮像画角にて前記登録人物情報記憶手段に記憶された情報から人物が特定されると、前記人物が前記撮像画角から外れるように前記撮像手段の向きを変える制御を行う。
【０００７】
上記構成によれば、撮像手段の撮像画角において画像を取得し、取得した画像から予め登録済みの人物を特定すると、当該人物が撮像画角から外れるように撮像手段の向きを変えるので、プライバシー保護対象の人物をモザイク画などの別の画像に置き換える処理が不要となり、人物プライバシー保護処理に関わるコストを最小限に抑えることが可能となる。また、あくまでもプライバシー保護対象の人物を記録しないように撮像手段の向きを変えるだけであるので、異常事態を検出する精度を低下させることはない。
【０００８】
また、本発明の監視カメラシステムは、被写体空間を撮像する撮像手段と、特定の人物に関する情報を記憶する登録人物情報記憶手段と、前記撮像手段で撮像された画像において前記登録人物情報記憶手段に記憶された情報から人物を特定する画像認識手段と、前記撮像手段の向きを上下左右に変える制御を行う制御手段とを備える監視カメラと、前記監視カメラの前記撮像手段で撮像された画像を記録する記録手段とを備え、前記監視カメラにおいて、前記撮像手段は、前記記録手段に画像を記録させるための記録画角と前記記録画角を含む撮像画角を持ち、前記制御手段は、前記撮像画角にて前記登録人物情報記憶手段に記憶された情報から人物が特定されると、前記人物が前記撮像画角から外れるように前記監視カメラの前記撮像手段の向きを変える制御を行う。
【０００９】
上記構成によれば、撮像手段の撮像画角において画像を取得し、取得した画像から予め登録済みの人物を特定すると、当前記人物が撮像画角から外れるように撮像手段の向きを変えるので、プライバシー保護対象の人物をモザイク画などの別の画像に置き換える処理が不要となり、人物プライバシー保護処理に関わるコストを最小限に抑えることが可能となる。また、あくまでもプライバシー保護対象の人物を記録しないように撮像手段の向きを変えるだけであるので、異常事態を検出する精度を低下させることはない。また、記録手段を別体とすることで、監視カメラの小型化が図れるとともに、記録手段の大容量化が図れる。
【００１０】
また、本発明の監視カメラシステムは、被写体空間を撮像する撮像手段を備える監視カメラと、特定の人物に関する情報を記憶する登録人物情報記憶手段と、前記監視カメラで撮像された画像において前記登録人物情報記憶手段に記憶された人物を特定する画像認識手段と、前記監視カメラで撮像された画像を記録する記録手段と、前記監視カメラの前記撮像手段の向きを上下左右に変える制御を行う制御手段とを備え、前記監視カメラの前記撮像手段は、前記記録手段に画像を記録させるための記録画角と前記記録画角を含む撮像画角を持ち、前記制御手段は、前記撮像画角にて前記登録人物情報記憶手段に記憶された情報から人物が特定されると、前記人物が前記撮像画角から外れるように前記監視カメラの前記撮像手段の向きを変える制御を行う。
【００１１】
上記構成によれば、撮像手段の撮像画角において画像を取得し、取得した画像から予め登録済みの人物を特定すると、当該人物が撮像画角から外れるように撮像手段の向きを変えるので、プライバシー保護対象の人物をモザイク画などの別の画像に置き換える処理が不要となり、人物プライバシー保護処理に関わるコストを最小限に抑えることが可能となる。また、あくまでもプライバシー保護対象の人物を記録しないように撮像手段の向きを変えるだけであるので、異常事態を検出する精度を低下させることはない。また、監視カメラは撮像手段を備えるものとし、他の各手段と別体とすることで、監視カメラの更なる小型化が図れる。
【００１２】
また、本発明の監視カメラシステムは、前記撮像手段は、前記撮像画角内の前記記録画角の位置を変える電子パン・チルト機能を有し、前記撮像画角にて前記登録人物情報記憶手段に記憶された情報から人物が特定されると、前記人物が前記記録画角に入らないように前記パン・チルト機能により記録画角の位置を変える。
【００１３】
上記構成によれば、撮像画角内の記録画角の位置を電気的に変更できるようにしたので、撮像手段の向き変えるための機構が不要となり、更なるコストの低減が図れる。
【００１４】
また、本発明の監視カメラシステムは、前記画像認識手段は、前記撮像画角にて前記登録人物情報記憶手段に記憶された情報から人物を特定すると、前記人物に関する情報を文字情報として前記登録人物情報記憶手段に記憶させる。
【００１５】
上記構成によれば、予め登録した人物を特定すると、その人物に関する情報を文字情報として登録人物情報記憶手段に記憶させるので、特定した人物の情報を残す場合でも登録人物情報記憶手段の容量の増加を最小限に抑えることができる。
【００１６】
また、本発明の監視カメラシステムは、前記撮像手段は、ズーム機能を有し、前記画像認識手段が前記登録人物情報記憶手段に記憶された情報から人物の特定が困難な場合に前記ズーム機能によりズームインし、前記画像認識手段が前記登録人物情報記憶手段に記憶された情報から人物を特定すると前記ズーム機能によりズームアウトする。
【００１７】
上記構成によれば、人物が特定困難な遠い場所にいてもズームインすることで特定が可能となる。
【００１８】
本発明の監視カメラは、被写体空間を撮像する撮像手段と、特定の人物に関する情報を記憶する登録人物情報記憶手段と、前記撮像手段で撮像された画像において前記登録人物情報記憶手段に記憶された情報から人物を特定する画像認識手段と、前記撮像手段で撮像された画像を記録する記録手段と、前記撮像手段の向きを上下左右に変える制御を行う制御手段とを備え、前記撮像手段は、前記記録手段に画像を記録させるための記録画角と前記記録画角を含む撮像画角を持ち、前記制御手段は、前記撮像画角にて前記登録人物情報記憶手段に記憶された情報から人物が特定されると、前記人物が前記撮像画角から外れるように前記撮像手段の向きを変える制御を行う。
【００１９】
上記構成によれば、撮像手段の撮像画角において画像を取得し、取得した画像から予め登録済みの人物を特定すると、当該人物が撮像画角から外れるように撮像手段の向きを変えるので、プライバシー保護対象の人物をモザイク画などの別の画像に置き換える処理が不要となり、人物プライバシー保護処理に関わるコストを最小限に抑えることが可能となる。また、あくまでもプライバシー保護対象の人物を記録しないように撮像手段の向きを変えるだけであるので、異常事態を検出する精度を低下させることはない。
【００２０】
また、本発明の監視カメラ制御方法は、画像記録装置に画像を記録させるための記録画角と前記記録画角を含む撮像画角を持つ監視カメラを用いて被写体空間を撮像する工程と、特定の人物に関する情報を登録する工程と、前記監視カメラで撮像された画像において予め登録された情報から人物を特定する工程と、前記監視カメラで撮像された画像を記録する工程と、前記監視カメラの前記撮像画角にて予め登録された情報から人物が特定された場合に前記人物が前記撮像画角から外れるように前記監視カメラの向きを変える工程と、を備える。
【００２１】
上記方法によれば、監視カメラの撮像画角において画像を取得し、取得した画像から予め登録済みの人物を特定すると、当該人物が撮像画角から外れるようにカメラの向きを変えるので、プライバシー保護対象の人物をモザイク画などの別の画像に置き換える処理が不要となり、人物プライバシー保護処理に関わるコストを最小限に抑えることが可能となる。また、あくまでもプライバシー保護対象の人物を記録しないようにカメラの向きを変えるだけであるので、異常事態を検出する精度を低下させることはない。
【発明の効果】
【００２２】
本発明は、プライバシー保護の信頼性を落とすことなく、プライバシー保護処理を行うハードウェアあるいはソフトウェアに関わるコストを最小限に抑えることができる。
【発明を実施するための最良の形態】
【００２３】
以下、本発明を実施するための好適な実施の形態について、図面を参照して詳細に説明する。
【００２４】
（実施の形態１）
図１は、本発明の実施の形態１に係る監視カメラシステムの概略構成を示すブロック図である。同図において、本実施の形態に係る監視カメラシステム１０は、被写体空間を撮像する撮像部１１と、プライバシー保護を必要とする人物の情報を記憶する登録人物情報記憶部１２と、撮像部１１で撮像された画像において登録人物情報記憶部１２に記憶された人物であるかどうかを認識する画像認識部１３と、撮像部１１の向きを物理的に上下左右に変える制御を行う制御部１４と、撮像部１１で撮像された画像を記録する記録部１５とを備える。
【００２５】
撮像部１１にはＣＣＤ（Charge Coupled Device）やＣＭＯＳ（Complementary Metal Oxide Semiconductor）等の撮像素子が用いられ、該撮像素子で撮像して得られる画像信号を出力する。撮像部１１は、記録部１５に記録するための記録画角と該記録画角を含む画像認識部１３でプライバシー保護対象人物の特定を行う撮像画角を有する。図２に撮像画角と記録画角との関係を示す。同図において、１１Ａは撮像画角であり、１１Ｂは記録画角である。記録画角１１Ｂは撮像画角１１Ａに含まれ、撮像画角１１Ａに対する位置は固定されている。
【００２６】
撮像部１１には、向き（撮像方向）を上下左右に変えるための駆動機構（図示略）が設けられており、この駆動機構は制御部１４からの制御信号に従って動作し、撮像部１１の向きを変える。画像認識部１３は、撮像部１１より得られる監視画像のなかでプライバシー保護を必要とする人物を認識するものであり、例えばパターンマッチングを行って、登録人物情報記憶部１２に記憶されている情報からプライバシー保護対象人物を認識する。制御部１４は、装置各部を制御するものであり、図示せぬＣＰＵ（Central Processing Unit）と、ＣＰＵを制御するための制御プログラムが記憶されたＲＯＭ（Read Only Memory）等の不揮発性メモリと、ＣＰＵの動作において使用されるＲＡＭ（Random Access Memory）等の揮発性メモリとを備えている。
【００２７】
制御部１４は、画像認識部１３でプライバシー保護を必要とする人物が認識された場合に、該人物の現在の位置情報から該人物が記録画角１１Ｂに入らないように撮像画角１１Ａから除外する制御を行う。すなわち、プライバシー保護対象人物が記録部１５に記録されないように撮像部１１の向き変える。例えば、図３（ａ）に示すように、撮像画角１１Ａにて人物２０を検出すると、その人物２０がプライバシー保護対象人物であれば、記録しないように撮像部１１の向きを変える。この場合、左上にパンとチルトを行う。これにより、図３（ｂ）に示すように、プライバシー保護対象の人物２０が撮像画角１１Ａから外れることになり、人物２０が記録部１５に記録されることがなくなる。すなわち、人物２０のプライバシー保護が保たれる。このようにプライバシー保護対象の人物２０を検出すると、記録部１５に記録されないように撮像部１１の向きを変える。
【００２８】
なお、撮像部１１の向きを物理的に変更させるのではなく、撮像部１１に撮像画角１１Ａ内の記録画角１１Ｂの位置を変更する電子パン・チルト機能を持たせるようにしても良い。図４にその一例を示す。画像認識部１３でプライバシー保護対象の人物２０が特定されると、該人物２０が記録画角１１Ｂに入らないように電子パン・チルト機能によって記録画角１１Ｂの位置を変更する。なお、この場合、撮像部１１と画像認識部１３との間の処理で済むので、制御部１４による制御が不要となる。
【００２９】
記録部１５には、磁気記録装置（所謂ハードディスク）、光記録装置、光磁気記録装置、半導体記憶装置等が用いられる。
【００３０】
次に、本実施の形態に係る監視カメラシステム１０の動作を説明する。図５は、本実施の形態に係る監視カメラシステム１０におけるプライバシー保護処理を示すフローチャートである。また、図６はプライバシー保護処理の説明に用いる図であり、撮像画角１１Ａを１６分割して各領域を「Ａ、Ｂ、Ｃ、Ｄ」と「ａ、ｂ、ｃ、ｄ」で指定したものである。
【００３１】
図５及び図６において、まず撮像部１１の撮像画角１１Ａにおいて画像を取得する（ステップＳ１０）。次いで、撮像画角１１Ａの画像に対して画像認識によるプライバシー保護対象人物の検出を行い（ステップＳ１１）、該当する人物を検出できたかどうか判定する（ステップＳ１２）。該当する人物を検出できた場合は、該当する人物を検出した領域が「Ａ」であるかどうか判定する（ステップＳ１３）。この判定において、該当する人物を検出した領域が「Ａ」であれば、当該人物の記録を避けるために右方向に４５度パンする（ステップＳ１４）。これに対し、該当する人物を検出した領域が「Ａ」でない場合は、領域が「Ｂ」であるかどうか判定する（ステップＳ１５）。該当する人物を検出した領域が「Ｂ」であれば、当該人物の記録を避けるために右方向へ９０度パンする（ステップＳ１６）。
【００３２】
また、該当する人物を検出した領域が「Ｂ」でもない場合は、領域が「Ｃ」であるかどうか判定する（ステップＳ１７）。該当する人物を検出した領域が「Ｃ」であれば、当該人物の記録を避けるために左方向へ９０度パンする（ステップＳ１８）。また、該当する人物を検出した領域が「Ｃ」でもなければ、領域は「Ｄ」であるので、左方向へ４５度パンする（ステップＳ１９）。
【００３３】
ステップＳ１４、ステップＳ１６、ステップＳ１８及びステップＳ１９のうち、いずれか１つの処理を行った後、次はチルト方向の判定を行う。まず該当する人物を検出した検出領域が「ａ」であるかどうか判定する（ステップＳ２０）。該当する人物を検出した領域が「ａ」であれば、当該人物の記録を避けるために下方向に４５度チルトする（ステップＳ２１）。これに対し、該当する人物を検出した領域が「ａ」でなければ、領域が「ｂ」であるかどうか判定する（ステップＳ２２）。該当する人物を検出した領域が「ｂ」であれば、当該人物の記録を避けるために下方向へ９０度チルトする（ステップＳ２３）。
【００３４】
また、該当する人物を検出した領域が「ｂ」でもない場合は、領域が「ｃ」であるかどうか判定する（ステップＳ２４）。該当する人物を検出した領域が「ｃ」であれば、当該人物の記録を避けるために上方向へ９０度チルトする（ステップＳ２５）。また、該当する人物を検出した領域が「ｃ」でもなければ、領域は「ｄ」であるので、上方向へ４５度チルトする（ステップＳ２６）。ステップＳ２１、ステップＳ２３、ステップＳ２５及びステップＳ２６のうち、いずれか１つの処理を行った後、ステップＳ１０に戻る。
【００３５】
一方、ステップＳ１２の判定において、該当する人物を検出しなかった場合、その時から３０秒間が経過したかどうか判定する（ステップＳ２７）。３０秒間経過する前に該当する人物が検出された場合はステップＳ１０に戻り、３０秒間経過しても該当する人物が検出されなかった場合はパンとチルトをそれぞれ０度に設定する。すなわち所定の初期位置に戻す（ステップＳ２８）。その後、ステップＳ１０に戻る。
【００３６】
なお、パンとチルトの動作は、下記のように速度を変えるようにすることも可能であり、また上記と組み合わせても良い。いずれにおいても同様の効果が得られる。
図中の右方向４５度パンを、右方向へ速度１０度／秒でパンする。
図中の右方向９０度パンを、右方向へ速度２０度／秒でパンする。
図中の左方向９０度パンを、左方向へ速度２０度／秒でパンする。
図中の左方向４５度パンを、左方向へ速度１０度／秒でパンする。
図中の上方向４５度チルトを、上方向へ速度１０度／秒でチルトする。
図中の上方向９０度チルトを、上方向へ速度２０度／秒でチルトする。
図中の下方向９０度チルトを、下方向へ速度２０度／秒でチルトする。
図中の下方向４５度チルトを、下方向へ速度１０度／秒でチルトする。
【００３７】
このように、本実施の形態に係る監視カメラシステム１０によれば、撮像部１１の撮像画角１１Ａにおいて画像を取得し、取得した画像を画像認識部１３で画像認識してプライバシー保護対象人物の検出を行い、撮像画角１１Ａ内で該当する人物を検出した場合、当該人物が撮像画角１１Ａ外になるように撮像部１１のパン、チルトを制御して、撮像部１１の向きを変えるので、プライバシー保護対象人物をモザイク画などの別の画像に置き換える処理が不要となり、人物プライバシー保護処理に関わるコストを最小限に抑えることが可能となる。また、あくまでもプライバシー保護対象人物を記録しないように撮像部１１の向きを変えるだけであるので、異常事態を検出する精度を低下させることはない。
【００３８】
なお、上記実施の形態では、撮像画角１１Ａでプライバシー保護が必要な人物を検出した場合に、該人物の記録を避けるように撮像画角１１Ａあるいは記録画角１１Ｂを動かすようにしたが、該人物に関する情報を文字情報（人物を特定する情報、日時、歩行方向等）として登録人物情報記憶部１２に記憶するようにしても良い。この場合、文字情報のみを記憶することで、登録人物情報記憶部１２の記憶容量が少なくて済む。
【００３９】
また、上記実施の形態では、遠くにいる人物については特定することが困難であるが、撮像部１１にズーム機能を設けることで、遠くにいる人物も容易に特定することができる。この場合、該人物を特定した後は、ズームアウトするようにすると良い。
【００４０】
（実施の形態２）
図７は、本発明の実施の形態２に係る監視カメラシステムの概略構成を示すブロック図である。前述した実施の形態１に係る監視カメラシステム１０は、撮像部１１、登録人物情報記憶部１２、画像認識部１３、制御部１４及び記録部１５で構成したものであったが、本実施の形態に係る監視カメラシステム１０Ｂは、撮像部１１、登録人物情報記憶部１２、画像認識部１３及び制御部１４を備える監視カメラ３０と、監視カメラ３０と別体の記録部１５とで構成したものである。
【００４１】
記録部１５をレコーダやパーソナルコンピュータといった監視カメラ３０と別体とすることで、記録部１５の大容量化が図れるとともに監視カメラ３０の小型化が図れる。なお、記録部１５と監視カメラ３０の接続にはＩＰネットワーク等のように、有線だけでなく、無線の使用も可能である。特に、無線の場合、電話通信網（移動通信網を含む）やインターネット等の電気通信網を利用することで、監視カメラ３０を遠隔地に配置することが可能となる。また、本実施の形態に係る監視カメラシステム１０Ｂにおいても前述した実施の形態１に係る監視カメラシステム１０と同様の効果が得られる。
【００４２】
（実施の形態３）
図８は、本発明の実施の形態３に係る監視カメラシステムの概略構成を示すブロック図である。本実施の形態に係る監視カメラシステム１０Ｃは、撮像部１１を備える監視カメラ４０と、登録人物情報記憶部１２と、画像認識部１３と、制御部１４及び記録部１５とで構成したものである。登録人物情報記憶部１２、画像認識部１３、制御部１４及び記録部１５をレコーダやパーソナルコンピュータといった監視カメラ４０と別体とすることで、監視カメラ４０の更なる小型化が図れる。勿論、記録部１５の大容量化も図れる。また、本実施の形態に係る監視カメラシステム１０Ｃにおいても前述した実施の形態１に係る監視カメラシステム１０と同様の効果が得られる。
【産業上の利用可能性】
【００４３】
本発明は、プライバシー保護の信頼性を落とすことなく、プライバシー保護処理を行うハードウェアあるいはソフトウェアに関わるコストを最小限に抑えることができるといった効果を有し、画像認識機能を備える監視カメラシステム等への適用が可能である。
【図面の簡単な説明】
【００４４】
【図１】本発明の実施の形態１に係る監視カメラシステムの概略構成を示すブロック図
【図２】本発明の実施の形態１に係る監視カメラシステムの撮像部が持つ撮像画角と記録画角との関係を示す図
【図３】本発明の実施の形態１に係る監視カメラシステムの撮像部の向きを変更することによるプライバシー保護処理を説明するための図
【図４】本発明の実施の形態１に係る監視カメラシステムのプライバシー保護処理の応用例である記録画角の位置変更によるプライバシー保護処理を説明するための図
【図５】本発明の実施の形態１に係る監視カメラシステムのプライバシー保護処理を説明するためのフローチャート
【図６】図５のフローチャートの説明に用いる図
【図７】本発明の実施の形態２に係る監視カメラシステムの概略構成を示すブロック図
【図８】本発明の実施の形態３に係る監視カメラシステムの概略構成を示すブロック図
【符号の説明】
【００４５】
１０、１０Ｂ、１０Ｃ  監視カメラシステム
１１  撮像部
１１Ａ  撮像画角
１１Ｂ  記録画角
１２  登録人物情報記憶部
１３  画像認識部
１４  制御部
１５  記録部
２０  人物
３０、４０  監視カメラ
【図１】
2008167206.tif 000003
【図２】
2008167206.tif 000004
【図３】
2008167206.tif 000005
【図４】
2008167206.tif 000006
【図５】
2008167206.tif 000007
【図６】
2008167206.tif 000008
【図７】
2008167206.tif 000009
【図８】
2008167206.tif 000010